(57)【要約】【課題】床スラブ上に設置されて、該床スラブ上に、所定の床下空間を存してフロアーを支持するようにした、建物におけるフロアー用支持脚であって、床スラブ上に、支持脚を常に簡単容易に精度よく設置して、フロアーを所定位置に施工性よく、安定支持できるようにして、精度が高く、低コストでの床施工を可能とした。【解決手段】  床スラブＳ上に着座されるクッションゴム１０と、クッションゴム１０に支持されて垂直方向に起立する支持ボルト３０と、支持ボルト３０の上部に昇降可能に支持されてフロアーＦを支持する床下パーチクルボード２０とよりなり、クッションゴム１０の支持孔１４内に、その支持ボルト３０がその軸線回りに回転可能で且つ横方向に揺動可能に支持され、またドライバーＤにより支持ボルト３０を回転して床下パーチクルボード２０を昇降できるようにした。【選択図】    図４
2016217054.tif 000002
【特許請求の範囲】
【請求項１】
床スラブ（Ｓ）上に設置されて、該床スラブ（Ｓ）上に、所定の床下空間を存してフロアー（Ｆ）を支持するようにした、建物におけるフロアー用支持脚であって、
床スラブ（Ｓ）上に着座されるクッションゴム（１０）と、このクッションゴム（１０）に支持されて垂直方向に起立する支持ボルト（３０）と、この支持ボルト（３０）の上部に昇降可能に支持されてフロアー（Ｆ）を支持する床下パーチクルボード（２０）とよりなり、
前記クッションゴム（１０）は、その中央部に形成した、上面開放の支持孔（１４）内に、前記支持ボルト（３０）がその軸線回りに回転可能で且つ横方向に揺動可能に嵌合支持され、該支持ボルト（３０）の上部に前記床下パーチクルボード（２０）の中央部の下面に固定した支持座金（２２）が螺挿され、前記支持ボルト（３０）の上端には、適宜の工具（Ｄ）により該支持ボルト（３０）を回転して前記床下パーチクルボード（２０）を昇降制御し得る、操作部（３５）が設けられることを特徴とする、建物におけるフロアー用支持脚。
【請求項２】
前記クッションゴム（１０）は、上方に向かって先細りの台形状に形成され、該クッションゴム（１０）に支持される支持ボルト（３０）は、前記床スラブ（Ｓ）上に傾斜して着座されるクッションゴム（１０）に対して横方向に首振り揺動して、垂直方向に矯正保持されることを特徴とする、前記請求項１に記載の建物におけるフロアー用支持脚。
【請求項３】
前記クッションゴム（１０）は、截頭角錐状をなして上下方向に段状に形成されることを特徴とする、前記請求項１または２に記載の建物におけるフロアー用支持脚。
【請求項４】
前記クッションゴム（１０）の底面には、床スラブ（Ｓ）上に着座する、複数の支持リブ（１７）が一体に形成されていることを特徴とする、前記請求項１、２または３に記載の建物におけるフロアー用支持脚。
【発明の詳細な説明】
【技術分野】
【０００１】
本発明は、躯体の床スラブ上に設置されて、その床スラブ上に所定の床下空間をあけてフロアーを支持するようにした、建物におけるフロアー用支持脚に関する。
【背景技術】
【０００２】
従来、建物において、躯体の床スラブ上に接地されるクッションゴムと、このクッションゴムに起立保持される支持ボルトと、この支持ボルト上に支持されるパネル受けとより支持脚を構成し、床スラブ上に所定の床下空間をあけて床材を支持するようにし、床鳴りがなく、床高の調整ができ、組み立てが簡単で、床下配管の点検補修を容易に行うことができるようにしたものが知られている（後記非特許文献１参照）。
【先行技術文献】
【非特許文献】
【０００３】
【非特許文献１】図書「図説  建築の内装工事」１９８９年．８．３０．  第１２版発行  理工学社編  床仕上げ、防音床の施工  ６９ページ
【発明の概要】
【発明が解決しようとする課題】
【０００４】
ところで、従来の支持脚は、フロアーを受ける床パネル受と、床スラブ上に着座されるクッションゴムとが垂直方向に延びる支持ボルトで連結されている。
【０００５】
ところが、コンクリートの打設により形成される建物躯体の床スラブの接地面は、平坦面に形成されずに多少の凹凸を有するので、その凹凸のある床スラブ上に支持脚が設置されると、その支持脚が垂直線に対して傾斜して、その上の床パネル受の上面が水平面とはならず、フロアーの精度の高い支持が難しくなり、その矯正作業に手間取るという問題がある。
【０００６】
また、従来の支持脚では、その床パネル受上に下地合板を施工した後では、支持脚のレベル調整ができないという他の問題もある。
【０００７】
本発明は、かかる実情に鑑みてなされたもので、支持脚の支持ボルトの垂直方向への矯正を簡単容易に行うことができると共に下地合板を施工した後でも、支持脚のレベル調整を可能として、前記問題を解決すると共に床衝撃音に対する遮音性能を高めるようにした、新規な建物におけるフロアー用支持脚を提供することを目的とする。
【課題を解決するための手段】
【０００８】
上記目的を達成するため、請求項１記載の発明は、床スラブ上に設置されて、該床スラブ上に、所定の床下空間を存してフロアーを支持するようにした、建物におけるフロアー用支持脚であって、
床スラブ上に着座されるクッションゴムと、このクッションゴムに支持されて垂直方向に起立する支持ボルトと、この支持ボルトの上部に昇降可能に支持されてフロアーを支持する床下パーチクルボードとよりなり、前記クッションゴムは、その中央部に形成した、上面開放の支持孔内に、前記支持ボルトがその軸線回りに回転可能で且つ横方向に揺動可能に嵌合支持され、該支持ボルトの上部に前記床下パーチクルボードの中央部の下面に固定した支持座金が螺挿され、前記支持ボルトの上端には、適宜の工具により該支持ボルトを回転して前記床下パーチクルボードを昇降制御し得る、操作部が設けられることを特徴としている。
【０００９】
上記目的を達成するため、請求項２記載の発明は、前記請求項１記載のものにおいて、前記クッションゴムは、上方に向かって先細りの台形状に形成され、該クッションゴムに支持される支持ボルトは、前記床スラブ上に傾斜して着座されるクッションゴムに対して横方向に首振り揺動して、垂直方向に矯正保持されることを特徴としている。
【００１０】
上記目的を達成するため、請求項３記載の発明は、前記請求項１または２に記載のものにおいて、前記クッションゴムは、截頭角錐状をなして上下方向に段状に形成されることを特徴としている。
【００１１】
上記目的を達成するため、請求項４記載の発明は、前記請求項１、２または３に記載のものにおいて、前記クッションゴムの底面には、床スラブ上に着座する、複数の支持リブが一体に形成されていることを特徴としている。
【発明の効果】
【００１２】
請求項１記載の発明によれば、支持脚を床スラブ上に設置するだけで、床スラブ上に、所定の床下空間をあけてフロアーを安定して精度よく支持することができ、特に、床スラブの接地面に凹凸がある場合にも支持ボルトを垂直方向に保持してフロアーを所望の水平位置に支持することができ、また支持脚は、床スラブ上に設置した後にも床下パーチクルボードを昇降制御して、フロアーの位置調整を簡単、容易に行うことができ、支持脚の施工性を大幅に向上させることができる。
【００１３】
請求項２記載の発明によれば、クッションゴムは、上方に向かって先細りの台形状に形成され、該クッションゴムに支持される支持ボルトは、前記床スラブ上に傾斜して着座されるクッションゴムに対して横方向に首振り揺動して、垂直方向に矯正保持されるので、床スラブの接地面に凹凸がある場合にも支持脚を常に所定位置に安定支持することができる。
【００１４】
請求項３記載の発明によれば、クッションゴムは、截頭角錐状をなして上下方向に段状に形成されるので、床スラブへの接地面を広くして支持脚を安定支持することができ、その上、支持ボルトの垂直方向への矯正を容易にすることができ、さらにクッションゴムの全体の容量を低減して、そのコストダウンを図ることができる。
【００１５】
請求項４記載の発明によれば、クッションゴムの底面には、床スラブ上に着座する、複数の支持リブが一体に形成されるので、クッションゴムは支持脚を安定支持すべく床スラブへの底面積を拡大したにも拘らず、床スラブへの接地面を小さくして遮音性能を高めることができる。
【図面の簡単な説明】
【００１６】
【図１】床スラブ上に支持脚を設置した状態を示す、建物躯体の斜視図
【図２】図１の２矢視仮想線囲い部分の拡大図
【図３】図１の３−３線に沿う拡大断面図
【図４】図３の４矢視仮想線囲い部分の拡大図（水平な床スラブ上に支持脚を設置した場合）
【図５】図３の５矢視仮想線囲い部分の拡大図（凹凸のある床スラブ上に支持脚を設置した場合）
【図６】支持脚の分解断面図
【図７】図６の７−７線に沿う平面図
【図８】図６の８−８線に沿う底面図
【発明を実施するための形態】
【００１７】
以下、本発明の実施形態を、添付図面１〜８を参照して具体的に説明する。
【００１８】
図１に示すように、コンクリートの打設により構築される建物躯体Ｂの床スラブＳ上には、本発明にかかる複数の支持脚Ｐが所定の間隔をあけて設置され、それらの支持脚Ｐ上に、下地合板５０を介してフロアーＦが敷設される。
【００１９】
次に、図２〜８を参照して、本発明にかかる支持脚Ｐの構造について説明する。
【００２０】
この支持脚Ｐは、床スラブＳ上に設置されるクッションゴム１０と、フロアーＦを支持する床下パーチクルボード２０と、この床下パーチクルボード２０を、クッションゴム１０上に、所定の床下空間をあけて支持する支持ボルト３０とより構成される。
【００２１】
クッションゴム１０は、天然ゴム素材よりなり、耐久性が高く安定した品質を保つように構成されており、台形状、具体的には上方に向かって先細りの截頭六角錐状であって、段差１１，１２を有し上下方向に段状に形成されている。クッションゴム１０の上面には、座金４０を介して支持ボルト３０を支持する平坦な支持面１３に形成されており、その中央部に上面を開放した、有底の円筒状支持孔１４が形成されている。そして、この支持孔１４の上縁には径方向内方に向かう環状隆起部１５が一体に形成されている（図６参照）。
【００２２】
また、クッションゴム１０の底面の外周部には、周方向の間隔をあけて断面半円上の複数の支持リブ１７が下向きに一体に形成されると共にその中央部には複数の放射リブを有する環状の支持面１８が一体に形成されており、クッションゴム１０は、支持リブ１７および環状の支持面１８を介して床スラブＳ上に着座支持される。
【００２３】
前記クッションゴム１０の支持孔１４に嵌合支持される支持ボルト３０は、螺子部３１と、その下部の軸部３２と、それらの間の頭部３３とよりなり、その軸部３２は、クッションゴム１０の支持孔１４内に座金４０を介して回転可能に嵌合支持され、このとき、支持孔１４の上縁の環状隆起部１５は、軸部３２の外周面に当接される（図４，５参照）。そして、支持ボルト３０は、支持孔１４の上縁を基点としてクッションゴム１０を弾性、変形させつつ、支持孔１４に対して横方向に首振り揺動できるようにされている。また、支持ボルト１０の上端には、操作部、この実施形態では  凹溝３５が形成されており、図４に示すように、この凹溝３５にドライバーＤのエッジｅを差し込んで、支持ボルト３０を外部から回転制御することができる（図４参照）。
【００２４】
支持ボルト３０上に支持される床下パーチクルボード２０は、硬質の合成樹脂材により四角形状に形成されており、この床下パーチクルボード２０の中央部には、上下に開口するボルト孔２１が形成され、さらに、その下面の中央部に金属性の支持座金２２が複数のビス２４により固着されている。支持座金２２の雌ネジ孔２３は、前記ボルト孔２１に連通されている。支持ボルト３０の螺子部３１の上部は、支持座金２２の雌ネジ孔２３に螺合されてボルト孔２１内に挿入されている。そして、支持ボルト３０を外部から回転操作することで、床下パーチクルボード２０を昇降制御可能とされる。
【００２５】
ところで、クッションゴム１０は、上方に向かって先細り状の台形状、すなわち截頭六角錐状に形成されることで、その上縁の横方向への首振り揺動を容易にして支持ボルト３０の垂直方向への矯正をし易くすると共に床スラブＳへの接地面を大きくして支持脚Ｐを安定して支持することができる。
【００２６】
さらに、クッションゴム１０の底面には、複数の支持リブ１７および環状支持面１８が形成されることで、床スラブＳの凹凸面に対する追従性を高めて、支持脚Ｐを安定支持することができ、また、クッションゴム１０の底面積を広くしたにも拘らず床スラブＳへの接地部を小さくして、遮音性の向上に寄与することができる。
【００２７】
さらに、クッションゴム１０は上方に向かって先細り状の台形状、すなわち截頭六角錐状に形成することで、クッションゴム１０の材料が節減され、そのコストダウンを図ることができる。
【００２８】
また、本発明にかかる支持脚Ｐは、床スラブＳ上の接地面上に置くだけで、フロアーＦを支持することができ、支持脚により壁際の施工をするのに、従来の縁根太が不要であり、フロアー工事のコストダウンを図ることができる。
【００２９】
つぎに、本発明にかかる支持脚Ｐにより、床スラブＳ上にフロアーＦを支持する過程について説明する。
【００３０】
［支持脚Ｐが設置される床スラブＳの支持面が水平な場合］
図４に示すように、床スラブＳの水平な支持面上には、クッションゴム１０が水平に設置され、そのクッションゴム１０上に起立支持される支持ボルト３０は、その支持孔１４の軸線Ｌ−Ｌが垂直線Ｖ−Ｖと一致して、その上部に支持される、床下パーチクルボード２０の床支持面は水平面となり、その上に下地合板５０を介してフロアーＦが施工される。この時、支持ボルト３０の軸線Ｌ−Ｌは、垂直線Ｖ−Ｖ上に一致していることにより、フロアーＦは水平に支持されてフロアーＦの施工精度が高められる。
【００３１】
また、下地合板５０の施工後でも、その通し孔５１を通して工具すなわちドライバーＤにより支持ボルト３０を回転操作することで、床下パーチクルボード２０のレベル調整が可能となる。
【００３２】
［支持脚Ｐが設置される床スラブＳの支持面が水平でない場合］
図５に示すように、床スラブＳの支持面に凹凸があって、クッションゴム１０が傾斜して支持面上に設置されると、クッションゴム１０の支持孔１４の軸線Ｌ−Ｌが、垂直線Ｖ−Ｖに対して傾斜し、該支持孔１４に嵌合支持される支持ボルト３０の軸線も垂直線に対して傾斜することになるが、このときは、支持ボルト３０をクッションゴム１０の支持孔１４に対して横方向に揺動調整して、支持ボルト３０の軸線Ｌ−Ｌを垂直線Ｖ−Ｖと一致させることができ、フロアーＦを水平に支持することができ、フロアーＦの施工精度が高められる。
【００３３】
この場合も、下地合板５０の施工後でもその通し孔５１を通して工具すなわちドライバーＤにより支持ボルト３０を回転操作することで、床下パーチクルボード２０のレベル調整が可能となる。
【００３４】
以上、本発明の実施形態について説明したが、本発明はその実施形態に限定されることなく、本発明の範囲内で種々の他の実施形態が可能である。
【００３５】
たとえば、前記実施形態では、クッションゴムは、截頭六角錐形状に形成しているが、これを六角以外の截頭角錐形状または截頭円錐形状に形成してもよい。
【符号の説明】
【００３６】
１０・・・・・・・・・・クッションゴム
１４・・・・・・・・・・支持孔
１７・・・・・・・・・・支持リブ
２０・・・・・・・・・・床下パーチクルボード
２２・・・・・・・・・・支持座金
３０・・・・・・・・・・支持ボルト
３５・・・・・・・・・・操作部（操作溝）
Ｆ・・・・・・・・・・フロアー
Ｄ・・・・・・・・・・ドライバー（工具）
Ｓ・・・・・・・・・・床スラブ
【図１】
2016217054.tif 000003
【図２】
2016217054.tif 000004
【図３】
2016217054.tif 000005
【図４】
2016217054.tif 000006
【図５】
2016217054.tif 000007
【図６】
2016217054.tif 000008
【図７】
2016217054.tif 000009
【図８】
2016217054.tif 000010
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
床スラブ（Ｓ）上に設置されて、該床スラブ（Ｓ）上に、所定の床下空間を存してフロアー（Ｆ）を支持するようにした、建物におけるフロアー用支持脚であって、
床スラブ（Ｓ）上に着座されるクッションゴム（１０）と、このクッションゴム（１０）に支持されて垂直方向に起立する支持ボルト（３０）と、この支持ボルト（３０）の上部に昇降可能に支持されてフロアー（Ｆ）を支持する床下パーチクルボード（２０）とよりなり、
前記クッションゴム（１０）は、その中央部に上面開放の支持孔（１４）が形成され、その支持孔（１４）の上縁に、その径方向内方に向かう環状隆起部（１５）が一体に形成されて、前記支持孔（１４）内に、前記支持ボルト（３０）がその軸線回りに回転可能で且つ横方向に揺動可能に嵌合支持されて、前記環状隆起部（１５）を支持ボルト（３０）の外周面に当接させ、かつ前記クッションゴム（１０）の上面に形成される平坦な支持面（１３）に前記支持ボルト（３０）が支持され、前記支持ボルト（３０）の上部に前記床下パーチクルボード（２０）の中央部の下面に固定した支持座金（２２）が螺挿され、前記支持ボルト（３０）の上端には、適宜の工具（Ｄ）により該支持ボルト（３０）を回転して前記床下パーチクルボード（２０）を昇降制御し得る、操作部（３５）が設けられることを特徴とする、建物におけるフロアー用支持脚。
【請求項２】
前記クッションゴム（１０）は、上方に向かって先細りの台形状に形成され、該クッションゴム（１０）に支持される支持ボルト（３０）は、前記床スラブ（Ｓ）上に傾斜して着座されるクッションゴム（１０）に対して横方向に首振り揺動して、垂直方向に矯正保持されることを特徴とする、前記請求項１に記載の建物におけるフロアー用支持脚。
【請求項３】
前記クッションゴム（１０）は、截頭角錐状をなして上下方向に段状に形成されることを特徴とする、前記請求項１または２に記載の建物におけるフロアー用支持脚。
【請求項４】
前記クッションゴム（１０）の底面には、床スラブ（Ｓ）上に着座する、複数の支持リブ（１７）が一体に形成されていることを特徴とする、前記請求項１、２または３に記載の建物におけるフロアー用支持脚。
【手続補正２】
【補正対象書類名】明細書
【補正対象項目名】全文
【補正方法】変更
【補正の内容】
【発明の詳細な説明】
【技術分野】
【０００１】
本発明は、躯体の床スラブ上に設置されて、その床スラブ上に所定の床下空間をあけてフロアーを支持するようにした、建物におけるフロアー用支持脚に関する。
【背景技術】
【０００２】
従来、建物において、躯体の床スラブ上に接地されるクッションゴムと、このクッションゴムに起立保持される支持ボルトと、この支持ボルト上に支持されるパネル受けとより支持脚を構成し、床スラブ上に所定の床下空間をあけて床材を支持するようにし、床鳴りがなく、床高の調整ができ、組み立てが簡単で、床下配管の点検補修を容易に行うことができるようにしたものが知られている（後記非特許文献１参照）。
【先行技術文献】
【非特許文献】
【０００３】
【非特許文献１】図書「図説  建築の内装工事」１９８９年．８．３０．  第１２版発行  理工学社編  床仕上げ、防音床の施工  ６９ページ
【発明の概要】
【発明が解決しようとする課題】
【０００４】
ところで、従来の支持脚は、フロアーを受ける床パネル受と、床スラブ上に着座されるクッションゴムとが垂直方向に延びる支持ボルトで連結されている。
【０００５】
ところが、コンクリートの打設により形成される建物躯体の床スラブの接地面は、平坦面に形成されずに多少の凹凸を有するので、その凹凸のある床スラブ上に支持脚が設置されると、その支持脚が垂直線に対して傾斜して、その上の床パネル受の上面が水平面とはならず、フロアーの精度の高い支持が難しくなり、その矯正作業に手間取るという問題がある。
【０００６】
また、従来の支持脚では、その床パネル受上に下地合板を施工した後では、支持脚のレベル調整ができないという他の問題もある。
【０００７】
本発明は、かかる実情に鑑みてなされたもので、支持脚の支持ボルトの垂直方向への矯正を簡単容易に行うことができると共に下地合板を施工した後でも、支持脚のレベル調整を可能として、前記問題を解決すると共に床衝撃音に対する遮音性能を高めるようにした、新規な建物におけるフロアー用支持脚を提供することを目的とする。
【課題を解決するための手段】
【０００８】
上記目的を達成するため、請求項１記載の発明は、床スラブ上に設置されて、該床スラブ上に、所定の床下空間を存してフロアーを支持するようにした、建物におけるフロアー用支持脚であって、
床スラブ上に着座されるクッションゴムと、このクッションゴムに支持されて垂直方向に起立する支持ボルトと、この支持ボルトの上部に昇降可能に支持されてフロアーを支持する床下パーチクルボードとよりなり、
前記クッションゴムは、その中央部に上面開放の支持孔が形成され、その支持孔の上縁に、その径方向内方に向かう環状隆起部が一体に形成されて、前記支持孔内に、前記支持ボルトがその軸線回りに回転可能で且つ横方向に揺動可能に嵌合支持されて、前記環状隆起部を支持ボルトの外周面に当接させ、かつ前記クッションゴムの上面に形成される平坦な支持面に前記支持ボルトが支持され、前記支持ボルトの上部に前記床下パーチクルボードの中央部の下面に固定した支持座金が螺挿され、前記支持ボルトの上端には、適宜の工具により該支持ボルトを回転して前記床下パーチクルボードを昇降制御し得る、操作部が設けられることを特徴としている。
【０００９】
上記目的を達成するため、請求項２記載の発明は、前記請求項１記載のものにおいて、前記クッションゴムは、上方に向かって先細りの台形状に形成され、該クッションゴムに支持される支持ボルトは、前記床スラブ上に傾斜して着座されるクッションゴムに対して横方向に首振り揺動して、垂直方向に矯正保持されることを特徴としている。
【００１０】
上記目的を達成するため、請求項３記載の発明は、前記請求項１または２に記載のものにおいて、前記クッションゴムは、截頭角錐状をなして上下方向に段状に形成されることを特徴としている。
【００１１】
上記目的を達成するため、請求項４記載の発明は、前記請求項１、２または３に記載のものにおいて、前記クッションゴムの底面には、床スラブ上に着座する、複数の支持リブが一体に形成されていることを特徴としている。
【発明の効果】
【００１２】
請求項１記載の発明によれば、支持脚を床スラブ上に設置するだけで、床スラブ上に、所定の床下空間をあけてフロアーを安定して精度よく支持することができ、特に、床スラブの接地面に凹凸がある場合にも支持ボルトを垂直方向に保持してフロアーを所望の水平位置に支持することができ、また支持脚は、床スラブ上に設置した後にも床下パーチクルボードを昇降制御して、フロアーの位置調整を簡単、容易に行うことができ、支持脚の施工性を大幅に向上させることができる。
【００１３】
請求項２記載の発明によれば、クッションゴムは、上方に向かって先細りの台形状に形成され、該クッションゴムに支持される支持ボルトは、前記床スラブ上に傾斜して着座されるクッションゴムに対して横方向に首振り揺動して、垂直方向に矯正保持されるので、床スラブの接地面に凹凸がある場合にも支持脚を常に所定位置に安定支持することができる。
【００１４】
請求項３記載の発明によれば、クッションゴムは、截頭角錐状をなして上下方向に段状に形成されるので、床スラブへの接地面を広くして支持脚を安定支持することができ、その上、支持ボルトの垂直方向への矯正を容易にすることができ、さらにクッションゴムの全体の容量を低減して、そのコストダウンを図ることができる。
【００１５】
請求項４記載の発明によれば、クッションゴムの底面には、床スラブ上に着座する、複数の支持リブが一体に形成されるので、クッションゴムは支持脚を安定支持すべく床スラブへの底面積を拡大したにも拘らず、床スラブへの接地面を小さくして遮音性能を高めることができる。
【図面の簡単な説明】
【００１６】
【図１】床スラブ上に支持脚を設置した状態を示す、建物躯体の斜視図
【図２】図１の２矢視仮想線囲い部分の拡大図
【図３】図１の３−３線に沿う拡大断面図
【図４】図３の４矢視仮想線囲い部分の拡大図（水平な床スラブ上に支持脚を設置した場合）
【図５】図３の５矢視仮想線囲い部分の拡大図（凹凸のある床スラブ上に支持脚を設置した場合）
【図６】支持脚の分解断面図
【図７】図６の７−７線に沿う平面図
【図８】図６の８−８線に沿う底面図
【発明を実施するための形態】
【００１７】
以下、本発明の実施形態を、添付図面１〜８を参照して具体的に説明する。
【００１８】
図１に示すように、コンクリートの打設により構築される建物躯体Ｂの床スラブＳ上には、本発明にかかる複数の支持脚Ｐが所定の間隔をあけて設置され、それらの支持脚Ｐ上に、下地合板５０を介してフロアーＦが敷設される。
【００１９】
次に、図２〜８を参照して、本発明にかかる支持脚Ｐの構造について説明する。
【００２０】
この支持脚Ｐは、床スラブＳ上に設置されるクッションゴム１０と、フロアーＦを支持する床下パーチクルボード２０と、この床下パーチクルボード２０を、クッションゴム１０上に、所定の床下空間をあけて支持する支持ボルト３０とより構成される。
【００２１】
クッションゴム１０は、天然ゴム素材よりなり、耐久性が高く安定した品質を保つように構成されており、台形状、具体的には上方に向かって先細りの截頭六角錐状であって、段差１１，１２を有し上下方向に段状に形成されている。クッションゴム１０の上面には、座金４０を介して支持ボルト３０を支持する平坦な支持面１３に形成されており、その中央部に上面を開放した、有底の円筒状支持孔１４が形成されている。そして、この支持孔１４の上縁には径方向内方に向かう環状隆起部１５が一体に形成されている（図６参照）。
【００２２】
また、クッションゴム１０の底面の外周部には、周方向の間隔をあけて断面半円上の複数の支持リブ１７が下向きに一体に形成されると共にその中央部には複数の放射リブを有する環状の支持面１８が一体に形成されており、クッションゴム１０は、支持リブ１７および環状の支持面１８を介して床スラブＳ上に着座支持される。
【００２３】
前記クッションゴム１０の支持孔１４に嵌合支持される支持ボルト３０は、螺子部３１と、その下部の軸部３２と、それらの間の頭部３３とよりなり、その軸部３２は、クッションゴム１０の支持孔１４内に座金４０を介して回転可能に嵌合支持され、このとき、支持孔１４の上縁の環状隆起部１５は、軸部３２の外周面に当接される（図４，５参照）。      
【００２４】
そして、支持ボルト３０は、支持孔１４の上縁を基点としてクッションゴム１０を弾性、変形させつつ、支持孔１４に対して横方向に首振り揺動できるようにされている。また、支持ボルト１０の上端には、操作部、この実施形態では  凹溝３５が形成されており、図４に示すように、この凹溝３５にドライバーＤのエッジｅを差し込んで、支持ボルト３０を外部から回転制御することができる（図４参照）。
【００２５】
支持ボルト３０上に支持される床下パーチクルボード２０は、硬質の合成樹脂材により四角形状に形成されており、この床下パーチクルボード２０の中央部には、上下に開口するボルト孔２１が形成され、さらに、その下面の中央部に金属性の支持座金２２が複数のビス２４により固着されている。支持座金２２の雌ネジ孔２３は、前記ボルト孔２１に連通されている。支持ボルト３０の螺子部３１の上部は、支持座金２２の雌ネジ孔２３に螺合されてボルト孔２１内に挿入されている。そして、支持ボルト３０を外部から回転操作することで、床下パーチクルボード２０の昇降制御が可能とされる。
【００２６】
ところで、クッションゴム１０は、上方に向かって先細り状の台形状、すなわち截頭六角錐状に形成されることで、その上縁の横方向への首振り揺動を容易にして支持ボルト３０の垂直方向への矯正をし易くすると共に床スラブＳへの接地面を大きくして支持脚Ｐを安定して支持することができる。
【００２７】
さらに、クッションゴム１０の底面には、複数の支持リブ１７および環状支持面１８が形成されることで、床スラブＳの凹凸面に対する追従性を高めて、支持脚Ｐを安定支持することができ、また、クッションゴム１０の底面積を広くしたにも拘らず床スラブＳへの接地部を小さくして、遮音性の向上に寄与することができる。
【００２８】
さらに、クッションゴム１０は上方に向かって先細り状の台形状、すなわち截頭六角錐状に形成することで、クッションゴム１０の材料が節減され、そのコストダウンを図ることができる。
【００２９】
また、本発明にかかる支持脚Ｐは、床スラブＳ上の接地面上に置くだけで、フロアーＦを支持することができ、支持脚により壁際の施工をするのに、従来の縁根太が不要であり、フロアー工事のコストダウンを図ることができる。
【００３０】
つぎに、本発明にかかる支持脚Ｐにより、床スラブＳ上にフロアーＦを支持する過程について説明する。
【００３１】
［支持脚Ｐが設置される床スラブＳの支持面が水平な場合］
図４に示すように、床スラブＳの水平な支持面上には、クッションゴム１０が水平に設置され、そのクッションゴム１０上に起立支持される支持ボルト３０は、その支持孔１４の軸線Ｌ−Ｌが垂直線Ｖ−Ｖと一致して、その上部に支持される、床下パーチクルボード２０の床支持面は水平面となり、その上に下地合板５０を介してフロアーＦが施工される。この時、支持ボルト３０の軸線Ｌ−Ｌは、垂直線Ｖ−Ｖ上に一致していることにより、フロアーＦは水平に支持されてフロアーＦの施工精度が高められる。
【００３２】
また、下地合板５０の施工後でも、その通し孔５１を通して工具すなわちドライバーＤにより支持ボルト３０を回転操作することで、床下パーチクルボード２０のレベル調整が可能となる。
【００３３】
［支持脚Ｐが設置される床スラブＳの支持面が水平でない場合］
図５に示すように、床スラブＳの支持面に凹凸があって、クッションゴム１０が傾斜して支持面上に設置されると、クッションゴム１０の支持孔１４の軸線Ｌ−Ｌが、垂直線Ｖ−Ｖに対して傾斜し、該支持孔１４に嵌合支持される支持ボルト３０の軸線も垂直線に対して傾斜することになるが、このときは、支持ボルト３０をクッションゴム１０の支持孔１４に対して横方向に揺動調整して、支持ボルト３０の軸線Ｌ−Ｌを垂直線Ｖ−Ｖと一致させることができ、フロアーＦを水平に支持することができ、フロアーＦの施工精度が高められる。
【００３４】
この場合も、下地合板５０の施工後でもその通し孔５１を通して工具すなわちドライバーＤにより支持ボルト３０を回転操作することで、床下パーチクルボード２０のレベル調整が可能となる。
【００３５】
以上、本発明の実施形態について説明したが、本発明はその実施形態に限定されることなく、本発明の範囲内で種々の他の実施形態が可能である。
【００３６】
たとえば、前記実施形態では、クッションゴムは、截頭六角錐形状に形成しているが、これを六角以外の截頭角錐形状または截頭円錐形状に形成してもよい。
【符号の説明】
【００３７】
１０・・・・・・・・・・クッションゴム
１３・・・・・・・・・・支持面
１４・・・・・・・・・・支持孔
１５・・・・・・・・・・環状隆起部
１７・・・・・・・・・・支持リブ
２０・・・・・・・・・・床下パーチクルボード
２２・・・・・・・・・・支持座金
３０・・・・・・・・・・支持ボルト
３５・・・・・・・・・・操作部（操作溝）
Ｆ・・・・・・・・・・フロアー
Ｄ・・・・・・・・・・ドライバー（工具）
Ｓ・・・・・・・・・・床スラブ